(57)【要約】  個人装着用デバイスは、第１の側（１０５）と第２の側（１０６）とを具えるストリップ（１０１）であって、第１の側（１０５）に粘着剤の裏材を具え、第１（１０５）および第２の側（１０６）の間に形成される穴を具えるストリップ（１０１）と、  前記穴に装着されるデバイス（１０３）であって、当該デバイス（１０３）を前記穴に前記第１の側（１０５）から第２の側（１０６）へ挿入する際に前記第１の側（１０５）に当接するフランジ（１０４）を有するデバイス（１０３）とを具え、前記粘着剤（１０７）は前記ストリップ（１０１）を固定するのに適しており、これにより前記デバイス（１０３）が基面に固定される。【選択図】図１Ｂ
2008508933.tif 000002
【特許請求の範囲】
【請求項１】
個人装着用デバイスにおいて：
第１の側と第２の側とを具えるストリップであって、第１の側に粘着剤の裏材を具え、第１および第２の側の間に形成される穴を具えるストリップと、
前記穴に装着されるデバイスであって、当該デバイスを前記穴に前記第１の側から第２の側へ挿入する際に前記第１の側に当接するフランジを有するデバイスとを具え、前記粘着剤は前記ストリップを固定するのに適しており、これにより前記デバイスが基面に固定されることを特徴とする個人装着用デバイス。
【請求項２】
前記フランジは前記デバイスの突出部であり、前記フランジは前記デバイスの基部を形成していることを特徴とする請求項１の個人装着用デバイス。
【請求項３】
前記粘着剤の裏材は前記フランジに接触して前記デバイスを固定することを特徴とする請求項１の個人装着用デバイス。
【請求項４】
前記ストリップはバンドであることを特徴とする請求項１の個人装着用デバイス。
【請求項５】
前記粘着剤は、前記ストリップを基面に接着し、前記デバイスを前記ストリップと前記基面との間に固定することを特徴とする請求項１の個人装着用デバイス。
【請求項６】
前記デバイスが前記ストリップとほぼ直角に配置された側壁を具え、前記フランジが前記粘着剤に接触する上面を具え、前記デバイスの側壁の表面仕上げは、前記フランジの上面の仕上げと比較して不規則であることを特徴とする請求項１の個人装着用デバイス。
【請求項７】
前記ストリップは穿孔されていることを特徴とする請求項１の個人装着用デバイス。
【請求項８】
第１の側と第２の側とを具え、前記第１および第２の側の間に形成された穴を有するバンドと、
前記穴に嵌挿されるデバイスであって、前記第１の側または第２の側のいずれかに当接して前記デバイスが前記穴を貫通するのを防止するフランジを有するデバイスとを具えることを特徴とする個人装着用デバイス。
【請求項９】
前記バンドは基面を取り巻いており、前記フランジは前記バンドと基面との間に保持され、前記デバイスが穴に固定されることを特徴とする請求項８の個人装着用デバイス。
【請求項１０】
第１の側と第２の側とを具えるストリップを具え、前記ストリップの第１の側は第１の粘着剤の裏材を具え、前記ストリップの第２の側に第２の粘着剤の裏材で取り付けられたデバイスを具えることを特徴とする個人装着用デバイス。
【発明の詳細な説明】
【技術分野】
【０００１】
本出願は、２００４年８月４日に提出された米国暫定出願番号６０／５９８，６３３号と、２００４年８月４日に提出された同６０／５９８，６３２号の優先権を主張するものであり、これらは全体が参照用にここに組み入れられている。
【０００２】
本発明は、個人装着用デバイスに関し、特に、デバイスを固定するストリップに関する。
【背景技術】
【０００３】
腕時計は、時計部と、当該時計部を個人の腕に固定するリストバンドとを具える。一般に、リストバンドは特別なツールで着脱可能である。しかしながら、このリストバンドはそれ自体が高価で脱着が難しい場合がある。
【発明の開示】
【発明が解決しようとする課題】
【０００４】
このため、基面（substrate）にデバイスを固定するデバイスとストリップのシステムの必要性があった。
【課題を解決するための手段】
【０００５】
本発明の開示における一実施例によると、個人装着用デバイスは、第１の側と第２の側とを具えるストリップを具え、当該ストリップの第１の側は粘着剤の裏材を具え、前記ストリップが第１および第２の側の間に形成される穴と、当該穴に装着されるデバイスとを具え、前記デバイスが当該デバイスを前記穴に前記第１の側から第２の側へ挿入する際に前記第１の側に当接するフランジを具え、前記粘着剤は前記ストリップを固定するのに適しており、これにより前記デバイスが基面に固定される。
【０００６】
前記フランジは前記デバイスの突出部であり、前記フランジは前記デバイスの基部を形成している。前記粘着剤の裏材は前記フランジに接触して前記デバイスを固定する。
【０００７】
前記ストリップはバンドである。
【０００８】
前記粘着剤は、前記ストリップを基面に接着し、前記デバイスを固定し、前記デバイスを前記ストリップと前記基面との間に固定する。
【０００９】
前記デバイスは前記ストリップとほぼ直角に配置された側壁を具え、前記フランジが前記粘着剤に接触する上面を具え、前記デバイスの側壁の表面仕上げは、前記フランジの上面の仕上げと比較して不規則である。
【００１０】
前記ストリップは穿孔されている。
【００１１】
本発明の開示における一実施例によると、個人装着用デバイスは、第１の側と第２の側とを具えるバンドを具え、前記第１および第２の側の間に形成された穴と、当該穴に嵌挿されるデバイスとを具え、当該デバイスは前記第１の側または第２の側のいずれかに当接して前記デバイスが前記穴を貫通するのを防止するフランジを具える。
【００１２】
前記バンドは基面を取り巻いており、前記フランジは前記バンドと基面との間に捉えられ、前記デバイスが穴に固定される。
【００１３】
本発明の開示における一実施例によると、個人装着用デバイスは、第１の側と第２の側とを具えるストリップを具え、前記ストリップの第１の側は第１の粘着剤の裏材を具え、前記ストリップの第２の側に第２の粘着剤の裏材で取り付けられたデバイスを具える。
【発明を実施するための最良の形態】
【００１４】
本発明の好適な実施例を、添付の図面を参照しながら以下に詳細に説明する。
【００１５】
ストリップまたはバンドで、デバイスを例えばユーザの腕や足などの基面（substrate）に固定する。このストリップはファブリックまたは樹脂材料で形成され、第１および第２の側を具える。ストリップの第１の側は、ユーザまたは他の基面に接着するための粘着剤の裏材を具える。この粘着剤は、ストリップが取れないように基面に貼り付く。
【００１６】
図１Ａ−Ｃを参照すると、ストリップ１０１はさらに、デジタル時計などのデバイス１０３を受ける穴１０２を具えている。このデバイス１０３は、例えば対応する穴１０２より大きい直径といった大きさを有するフランジ１０４を具える。穴は例えば多角形２０１（図２参照）のような他の形状としてもよい。粘着剤はストリップ１０１の第１の側１０５に設けられる。この粘着剤はフランジ１０４に接触してデバイス１０３を固定し、デバイス１０３が穴１０２内で回転しないようにする。
【００１７】
ストリップ１０１は、例えば第２の側１０６に、あるいは当該ストリップが透明材料であれば第１の側１０５に、その上に印刷されたデザインまたは図柄を有してもよい。このストリップ１０１は、時計を固定しうる限りにおいて四角や三角などの形状をとってもよい。ストリップ１０１は、形状を維持しうるのに適切な厚さであり、例えば樹脂フィルムの場合に約０．２ミリメートルである。この厚さは変更することができ、好適にはストリップの重みで穴の部分が折れ曲がらない程度の十分な強さをストリップが有するようにする。さらに、ストリップ１０１は、例えば平方インチ毎に４００の穿孔を有するように、穿孔されている。穿孔により、ストリップ１０１と皮膚の基面との境界分けを実質的に避けることができる。
【００１８】
脱着可能なカバー１０７が、第１の面１０５の粘着剤の上に設けられる。この脱着可能なカバー１０７は１以上の要素からなり、例えば図３Ｂに示す３０４−３０５である。この脱着可能なカバー１０７は容易に剥がれ、粘着剤を露出させてストリップ１０１を基面に貼着しデバイス１０３を固定できるようにする。この粘着剤は、デバイスを固定するのに十分で、且つ過度の苦痛を生ずることなく基面から除去できる粘着強さあるいは接着強さ（すなわち、剥離強さ）を有する。さらに、この粘着剤は耐水性である。
【００１９】
図３Ａ、３Ｂを参照すると、ストリップ１０１はデバイス１０３を受ける穴を有さず、デバイス１０３がストリップ１０１の第２の側１０６に取り付けられてもよい。例えば、デバイス１０３は第２の側１０６に設けられた粘着剤でストリップに取り付けられ、脱着可能なカバー３０１で覆われてもよい。脱着可能なカバーをストリップ１０１から取り外し、デバイスをストリップ１０１に取り付ける。デバイス１０３をストリップ１０１に取り付ける他の手段を用いてもよく、例えばストリップ１０１とデバイス１０３にベルクロ（登録商標）３０２／３０３またはスナップを設けて、ストリップ１０１とデバイス１０３を相補的に連結してもよい。
【００２０】
本発明の開示における一実施例によると、図３と同様にストリップが第１の側と第２の側に粘着剤を具えてる。このストリップはデバイスと同等または小さいサイズである。このストリップは図３Ａに示すようにデバイスとユーザの双方に接着される。しかしながら、デバイスがストリップを隠すため、デバイスのみが見えることになる。
【００２１】
本発明の開示における一実施例によると、ストリップはユーザの例えば腕やくるぶしなど、体のどの部分に貼着されてもよい。このストリップはまた、例えば服や机、自動車のダッシュボード上などの基面に固定してもよい。
【００２２】
本発明の開示における一実施例によると、ストリップは複数のデバイスを受ける１より多い数の穴を具えてもよい。
【００２３】
ここで図４を参照すると、本発明の開示における一実施例にかかるストリップ１０１と組み合わせて用いるデバイス１０３が示されており、このデバイスは側壁４０１を具えている。側壁４０１は、このデバイスがストリップ１０１の穴に挿入されたときにストリップ１０１の粘着剤に接着しにくいマット仕上げ／手触りである。フランジ１０４は、光沢仕上げの上面４０２を有する。したがって、この上面４０２の方が、側壁４０１と比較してより接着され易い特性を有する。
【００２４】
デバイス１０３は、例えばポリカーボネートまたは同様の単一の硬質の熱可塑性素材で構成することができる。このデバイス１０３は、２以上の熱可塑性素材で形成されてもよく、この場合デバイスの上部を硬質の熱可塑性材料で構成し、フランジをシリコンなどの柔軟な材料で形成する。この柔軟な材料は平坦でない基面の輪郭に沿わせることができる。
【００２５】
図５を参照すると、ストリップはバンド５０１として構成されている。このバンド５０１は弾性ラバーで形成されている。バンド５０１は、例えば人間の腕などの円筒形状の基面５０２上にフィットするのに適したサイズである。バンド５０１を基面５０２へ装着すると、粘着剤を必要とすることなく、デバイス１０３がバンド５０１と筒状体５０２との間に固定され、デバイス１０３のフランジはバンド５０１と基面５０２の間に保持される。
【００２６】
個人装着用デバイスの実施例について説明したが、当業者であれば上述した教示によって様々な変更や変形を施すことができる。このため、本発明で開示した特定の実施例は、添付のクレームに規定される本発明の範囲と意図を越えないで変更してもよい。本発明をこのように詳細に、特に特許法の規則により説明したが、特許による保護を所望すべく請求されるものは添付のクレームに記載する。
【図面の簡単な説明】
【００２７】
【図１Ａ】図１Ａは、本発明の開示における一実施例にかかるバンドとデバイスの上面図である。
【図１Ｂ】図１Ｂは、本発明の開示における一実施例にかかるバンドとデバイスの側面図である。
【図１Ｃ】図１Ｃは、本発明の開示における一実施例にかかるバンドとデバイスの側面図であり、デバイスがバンドの穴に固定されている。
【図２】図２は、本発明の開示における一実施例にかかるバンドの上面図である。
【図３Ａ】図３Ａは、本発明の開示における一実施例にかかるデバイスをバンドに取り付ける手段の側面図である。
【図３Ｂ】図３Ｂは、本発明の開示における一実施例にかかるデバイスをバンドに取り付ける手段の側面図である。
【図４】図４は、本発明の開示における一実施例にかかるデバイスを示す図である。
【図５】図５は、本発明の開示における一実施例にかかる環形バンドを示す図である。
【図１Ａ】
2008508933.tif 000003
【図１Ｂ】
2008508933.tif 000004
【図１Ｃ】
2008508933.tif 000005
【図２】
2008508933.tif 000006
【図３Ａ】
2008508933.tif 000007
【図３Ｂ】
2008508933.tif 000008
【図４】
2008508933.tif 000009
【図５】
2008508933.tif 000010
【国際調査報告】
2008508933.tif 000011